(57)【要約】【課題】デフロスト運転中等おいて床面温度を快適となる温度よりもあまり低下させずにユーザに対して不快感を与えない暖房装置を提供する。【解決手段】ポンプ７と暖房放熱器３とを配管で接続することにより熱媒循環経路１を構成した暖房装置である。ポンプ７を駆動することによって、加熱源により加熱された熱媒を上記熱媒循環経路１内に循環供給する。熱媒循環経路１に、熱媒循環経路１内を循環する熱媒熱を蓄熱する蓄熱手段４１を設ける。これにより、熱媒循環経路１内を循環する熱媒の熱容量を増加させた。【選択図】図１
2006046701.tif 000002
【特許請求の範囲】
【請求項１】
ポンプ（７）と暖房放熱器（３）とを配管で接続することにより熱媒循環経路（１）を構成し、上記ポンプ（７）を駆動することによって、加熱源により加熱された熱媒を上記熱媒循環経路（１）内に循環供給するようにした暖房装置において、上記熱媒循環経路（１）に、この熱媒循環経路（１）内を循環する熱媒の熱を蓄熱する蓄熱手段（４１）を設けることにより、熱媒循環経路（１）内を循環する熱媒の熱容量を増加させたことを特徴とする暖房装置。
【請求項２】
上記加熱源はヒートポンプによって加熱される水熱交換器（２１）であり、この加熱源のデフロスト運転時に上記水熱交換器（２１）にて熱回収を行うことを特徴とする請求項１の暖房装置。
【請求項３】
立上げ運転終了後に蓄熱手段（４１）による蓄熱を行うことを特徴とする請求項１又は請求項２の暖房装置。
【請求項４】
蓄熱時に、蓄熱手段（４１）を構成する蓄熱材（４２）側への流路に熱媒を間欠的に流すこと等によって蓄熱を徐々に行うことを特徴とする請求項１〜請求項３のいずれかの暖房装置。
【請求項５】
蓄熱手段（４１）を構成する蓄熱材（４２）側への流路に開閉手段（４３）を設けたことを特徴とする請求項１〜請求項４のいずれかの暖房装置。
【請求項６】
熱媒循環経路（１）は膨張タンク（６）を備え、この膨張タンク（６）の内部に蓄熱材（４２）が収納される蓄熱材収納部（Ｓ）を構成し、この蓄熱材収納部（Ｓ）の蓄熱材（４２）にて熱媒熱を蓄熱することを特徴とする請求項１〜請求項５のいずれかの暖房装置。
【発明の詳細な説明】
【技術分野】
【０００１】
この発明は、暖房装置に関するものである。
【背景技術】
【０００２】
暖房装置として、ヒートポンプ加熱源にて加熱された温水を床暖房機器に供給するものがある。（例えば、特許文献１参照）。すなわち、この種の暖房装置は、一般には、図７に示すように、ポンプ５１と床暖房機器５２とを配管で接続することにより水循環経路５３を構成し、上記ポンプ５１を駆動することによって、加熱源である水熱交換器５４により加熱された温水を上記水循環経路５３内に循環供給するものである。
【０００３】
この場合、圧縮機５５と、上記水熱交換器５４と、膨張弁５６と、蒸発器（空気熱交換器）５７等を順に接続して、ヒートポンプユニットを構成している。そして、圧縮機５５が駆動すると、圧縮機５５からの吐出冷媒が、水熱交換器５４、膨張弁５６、空気熱交換器５７等を順次経由して圧縮機５５へと返流する。そのため、水循環経路５３の熱交換路５８を流通する水が水熱交換器５４によって加熱され、この温水が床暖房機器５２を循環して床暖房を行うことになる。
【特許文献１】特開２００２−１２２３３４号公報
【発明の開示】
【発明が解決しようとする課題】
【０００４】
ところで、床暖房機器５２は、床パネルと、この床パネルの下方に配置される温水循環用パイプとを備え、この温水循環用パイプを温水が循環することによって、床パネルを加熱することになる。この場合、床暖房機器５２の出口５２ｂ側に、温度検出手段としての温度センサ６０を配置して、水熱交換器５４側に戻る戻り温水の温度を検知し、この戻り温水の温度に基づいて床暖房機器５２の床パネルの温度を制御するようにしている。
【０００５】
そして、この床パネルとしては、図８（ａ）（ｂ）（ｃ）に示したようなものがある。床暖房パネルの特性は、上面放熱量では、図８（ｃ）＞図８（ｂ）＞図８（ａ）となり、立上げ時の温度上昇では、図８（ｃ）＞図８（ｂ）＞図８（ａ）となり、熱容量では、図８（ａ）＞図８（ｂ）＞図８（ｃ）となる。温度上昇すなわち、図８（ａ）の床パネルは、断熱材（グラスウール５０ｍｍ以上）からなる基板６１と、この基板６１上に配置される合板等からなる荒床６２と、荒床６２上に配置される発泡ポリスチレン等からなるパネル材６３と、このパネル材６３上に配置される床材（フローリング）６４とを備え、パネル材６３に、熱媒（温水）が循環するパイプ６５が内装されている。そして、このパイプ６５をアルミ箔で覆っている。また、エラー! リンクが正しくありません。とパネル材６３との間にアルミ箔６６を介在させている。
【０００６】
また、図８（ｂ）の床パネルは、断熱材（グラスウール５０ｍｍ以上）からなる基板６１と、この基板６１上に配置される合板等からなる荒床６２と、この荒床６２上に配置される床材（フローリング）６４とを備え、この床材（フローリング）６４にパイプ６５が内装されている。また、エラー! リンクが正しくありません。と荒床６２との間にアルミ箔６６を介在させている。
【０００７】
さらに、図８（ｃ）の床パネルは、上記図８（ａ）の床パネルと同様、断熱材からなる基板６１と、この基板６１上に配置される荒床６２と、荒床６２上に配置されるパネル材６３と、このパネル材６３上に配置される床材（フローリング）６４とを備え、パネル材６３に、熱媒（温水）が循環するパイプ６５が内装されている。この際、隣合うパイプ材ピッチＰを上記図８（ａ）の床パネルよりも小さくすると共に、最上層のエラー! リンクが正しくありません。の厚さ寸法Ｔを上記図６（ａ）の床パネルよりも小さくしている。具体的には、図８（ａ）の床パネルでは、そのパイプ材ピッチＰが１５０ｍｍ程度であり、その床材６４の厚さ寸法Ｔが１２ｍｍ程度であり、図８（ｃ）の床パネルでは、そのパイプ材ピッチＰが７５ｍｍ程度であり、その床材６４の厚さ寸法Ｔが３ｍｍ程度である。
【０００８】
そして、上記図８（ａ）の床パネルでは、例えば、通常品は１２０Ｗ／ｍ２以下、上面方熱量を向上させたものは、１５０Ｗ／ｍ２以上で、３０分間の床面温度上昇が、通常品は９ｄｅｇとなり、上面放熱量向上品は１２ｄｅｇ（１８℃〜３０℃）以上となる。また、図８（ｂ）の床パネルは、表面材（フローリング）の中に温水パイプを埋め込んだ、いわゆる床材一体型床暖房パネルであり、さらに、図８（ｃ）の床パネルは、表面材とパネル材とが分離した、いわゆる分離型床暖房パネルである。
【０００９】
上記図８（ｂ）（ｃ）の床パネルでは、表面とパイプ６５の距離が近く、熱伝導性の良いアルミ箔でパイプ６５を覆っているので、放熱量が大きく立ち上がりが速くなる利点がある。しかしながら、温度むらが生じやすくなる。すなわち、パイプ６５が対応する部位と対応しない部位とで温度差が生じ、また、パイプ６５の入口近傍と出口近傍とで温度差が生じる。このため、パイプ材ピッチＰを小さくしたり、アルミ箔の量を増加させたり、パイプ６５内の循環する温水の循環量を増加させたりする必要があった。さらに、床材６４の厚さ寸法Ｔが小さいと、床としての強度が不足するため、床材の材質を変更したり、パネル材６３の強度を上げたりすると共に、固定方法を調節したりする必要があった。なお、パネルの厚さは建築上の制約があり、図８（ａ）のパネルでは厚さＴａが１２ｍｍとなり、図８（ｂ）のパネルでは厚さＴｂが１２ｍｍとなり、図８（ｃ）のパネルででは厚さ（Ｔ＋Ｔｃ）が１２ｍｍとなるのが主流である。
【００１０】
ところで、ヒートポンプは、圧縮機の吐出・吸入の圧力差が大きいと起動出来ない。また、水温が設定値の達したサーモオフ時等において圧縮機を一時停止すると、圧力差をなくす均圧の時間の後、再起動する必要がある。均圧時間は通常３分程度必要である。この時間内にも床温が低下する。そして、ヒートポンプの冷媒として、Ｒ３２、Ｒ４１０ＡのようなＨＦＣ冷媒を使用する場合、Ｒ２２等に比べて、作動圧力が高く、油の粘度も高いものを使用することになり、均圧に時間がかかる。また、ヒートポンプの冷媒として、二酸化炭素、炭化水素のような高圧の冷媒を使用する場合、ＨＦＣ冷媒よりも、より作動圧力が高く均圧に時間がかかる。この場合、高温水を使用するため、温度変化も起こり易い。
【００１１】
このように、温水の熱を効率良く暖房熱等するために、種々の床パネルがあり、床暖房機器５２の床パネルは、熱容量が小さく、かつ熱抵抗が小さいものを使用するのが好ましい。また、床面放熱率（温水の熱が暖房熱として床の上面に放熱される率）としては、大となるのが好ましい。しかしながら、このように熱容量が小さい場合等においては、僅かな水温変化で床面温度（床パネル温度）の変動が大となる。また、床面放熱率が大きいと、床暖房機器５２の入口５２ａ側の水温（往き温水の温度）と、床暖房機器５２の出口５２ｂ側の水温（戻り温水の温度）との温度差が拡大して、床パネルに温度むらが生じるおそれがある。
【００１２】
空気熱源利用のヒートポンプ式の暖房装置においてはデフロスト運転を行う場合がある。デフロスト運転は、水熱交換器５４にて熱回収を行う逆サイクル運転を行いつつ、ポンプ５１を駆動して水循環経路５３の循環水を循環させるものである。例えば、空気熱交換器５７の出口温度を検知する温度センサ（図示省略）の温度に基づいて、空気熱交換器５７に霜が付着しているか否かを判断し、空気熱交換器５７に霜が付着していると判断すれば、空気熱交換器５７の霜を取り除くためのデフロスト運転（除霜運転）行うことになる。
【００１３】
ところが、このようなデフロスト運転を行えば、水循環経路５３の循環水の温度が低下することになる。循環水の温度が低下すれば、これに応じて床面温度も低下して、快適性は損なわれることになる。特に、床パネルの熱容量が小さければ、デフロスト運転に入った後、直ちに床温が低下することになって、ユーザは快適に過ごすことができない。
【００１４】
この発明は、上記従来の欠点を解決するためになされたものであって、その目的は、デフロスト運転中等おいて床面温度を快適となる温度よりもあまり低下させずにユーザに対して不快感を与えない暖房装置を提供することにある。
【課題を解決するための手段】
【００１５】
そこで請求項１の暖房装置は、ポンプ７と床暖房機器３とを配管で接続することにより熱媒循環経路１を構成し、上記ポンプ７を駆動することによって、加熱源により加熱された熱媒を上記熱媒循環経路１内に循環供給するようにした暖房装置において、上記熱媒循環経路１に、この熱媒循環経路１内を循環する熱媒の熱を蓄熱する蓄熱手段４１を設けることにより、熱媒循環経路１内を循環する熱媒の熱容量を増加させたことを特徴としている。
【００１６】
上記請求項１の暖房装置では、熱媒循環経路１内を循環する熱媒熱を蓄熱する蓄熱手段４１を設けることにより、熱媒循環経路１内を循環する熱媒の熱容量を増加させたので、床暖房運転を行わないとき（均圧中やデフロスト中等の熱源が能力を供給していないとき）等においても熱媒循環経路１の主流の熱媒の温度がこの蓄熱手段４１の蓄熱熱量によって低下するのを防止することができる。
【００１７】
請求項２の暖房装置は、上記加熱源はヒートポンプによって加熱される水熱交換器２１であり、この加熱源のデフロスト運転時に、上記水熱交換器２１にて熱回収を行うことを特徴としている。
【００１８】
上記請求項２の暖房装置では、上記水熱交換器２１にて熱回収を行う逆サイクル運転のデフロスト運転を行えば、循環水の温度が低下することになる。循環水の温度が低下すれば、これに応じて床面温度も低下して、快適性は損なわれることになる。しかしながら、この暖房装置では、熱媒循環経路１の主流の熱媒の温度がこの蓄熱手段４１の蓄熱熱量によって低下するのを防止することができる。
【００１９】
請求項３の暖房装置は、立上げ運転終了後に蓄熱手段４１による蓄熱を行うことを特徴としている。
【００２０】
上記請求項３の暖房装置では、立上げ運転終了後に蓄熱手段４１による蓄熱を行うので、立上げ時において温度上昇に時間がかかることを防止できる。これに対して、立上げ運転時から蓄熱手段４１による蓄熱を行えば、熱容量が大きく温度上昇に時間がかかることになる。
【００２１】
請求項４の暖房装置は、蓄熱時に、蓄熱手段４１を構成する蓄熱材４２側への流路に熱媒を間欠的に流すこと等によって蓄熱を徐々に行うことを特徴としている。
【００２２】
上記請求項４の暖房装置では、蓄熱材４２に徐々に熱媒を流すことになって、熱媒の温度低下を防止できる。これに対して、蓄熱材４２に急激に熱媒を流せば、熱媒の温度低下を招くことになる。
【００２３】
請求項５の暖房装置は、蓄熱手段４１を構成する蓄熱材４２側への流路に開閉手段４３を設けたことを特徴としている。
【００２４】
上記請求項５の暖房装置では、床暖房温度の設定温度を急変時等のように熱媒の温度を大きく変化させる必要が生じたときに、開閉手段４３を閉状態として、蓄熱材４２側へ熱媒を流さないようにすることによって、熱媒の熱容量を低下させることができる。また、熱媒の温度が安定したときには、再度蓄熱材４２側へ熱媒を流すようにすることができる。
【００２５】
請求項６の暖房装置は、熱媒循環経路１は膨張タンク６を備え、この膨張タンク６の内部に蓄熱材４２が収納される蓄熱材収納部を構成し、この蓄熱材収納部の蓄熱材４２にて熱媒熱を蓄熱することを特徴としている。
【００２６】
上記請求項６の暖房装置では、熱媒循環経路１に別途蓄熱材を配置するための部位を設ける必要がなくなる。
【発明の効果】
【００２７】
請求項１の暖房装置によれば、熱循環経路の熱媒の温度が蓄熱熱量によって低下するのを防止することができる。このため、床暖房運転を行わないときにおいても、床面を、ユーザが不快とならない温度に維持することができる。
【００２８】
請求項２の暖房装置によれば、デフロスト運転を行っても、熱媒循環経路の主流の熱媒の温度がこの蓄熱手段の蓄熱熱量によって低下するのを防止することができるので、床面を、ユーザが不快とならない温度に維持することができる。
【００２９】
請求項３の暖房装置によれば、立上げ時において温度上昇に時間がかかることを防止でき、運転後の比較的短時間で床面を快適温度に暖めることができる。
【００３０】
請求項４の暖房装置によれば、蓄熱材４２に熱媒を流すことによる熱媒の温度低下を防止できるので、床面を快適温度からの低下を防止できる。
【００３１】
請求項５の暖房装置によれば、床暖房温度の設定温度を急変時等のように熱媒の温度を大きく変化させる必要が生じたときに、開閉手段を閉状態として、蓄熱材４２側へ熱媒を流さないようにすることによって、熱媒の熱容量を低下させ、熱媒の温度を設定温度に短時間に調整できる。また、熱媒の温度が安定したときには、再度蓄熱材側へ熱媒を流すようにすることができ、床暖房運転を行わないときにおいて、床面を、ユーザが不快とならない温度に維持することができる。
【００３２】
請求項６の暖房装置によれば、熱媒循環経路に別途蓄熱材を配置するための部位を設ける必要がなくなり、装置を簡単でコンパク化を図ることができる。
【発明を実施するための最良の形態】
【００３３】
次に、この発明の暖房装置の具体的な実施の形態について、図面を参照しつつ詳細に説明する。図１は暖房装置の簡略全体図である。この暖房装置は床暖房装置であって、熱媒循環経路として水循環経路１を備え、冷媒系統回路（ヒートポンプユニット）２にて加熱される温水（熱媒）を水循環経路１で循環させて、暖房放熱器３としての床暖房機器を暖めるものである。また、床暖房機器３は、床パネル４と、この床パネル４の下方側に配置される温水循環パイプ５等を備える。そして、床パネル４としては、通常表面材とあわせて、デフロストに使用するのに十分な熱容量（物体の温度を単位温度だけ上昇させるのに要する熱量）をゆうしている。
【００３４】
上記水循環経路１は、膨張タンク６と循環用ポンプ７とを介設された往き管８と、往きヘッダ９と、戻りヘッダ１０と、戻り管１１とを備える。また、往きヘッダ９は、主管接続部１２ａと複数の分岐管接続部１２ｂ・・とを有するヘッダ本体１２を備え、主管接続部１２ａに往き管８が接続され、分岐管接続部１２ｂに、開閉弁（熱動弁）１３が介設された分岐管１４が接続されている。さらに、戻りヘッダ１０は、主管接続部１５ａと複数の分岐管接続部１５ｂ・・とを有するヘッダ本体１５を備え、主管接続部１５ａに戻り管１１が接続され、分岐管接続部１５ｂに分岐管１６が接続されている。そして、往きヘッダ９側の一の分岐管１４に、温水循環パイプ５の入口に接続される往き配管１７が接続され、戻りヘッダ１０の一の分岐管１６に、温水循環パイプ５の出口に接続される戻り配管１８が接続される。このため、往きヘッダ９の分岐管１４の数及び戻りヘッダ１０の分岐管１６の数に応じて、複数の床暖房機器３を接続することができる。
【００３５】
また、冷媒系統回路（ヒートポンプユニット）２は、圧縮機２０と、水熱交換器２１と、空気熱交換器２２と、膨張弁２３と、四路切換弁２４と、アキュームレータ２５等を備える。すなわち、四路切換弁２４の一方の１次ポートが圧縮機２０の吐出管２６に接続され、四路切換弁２４の他方の１次ポートが圧縮機２０の吸込管２７に接続されている。また、この吸込管２７には、上記アキュームレータ２５が介設されている。四路切換弁２４の一方の２次ポートが水熱交換器２１に第１ガス管２８にて接続され、四路切換弁２４の他方の２次ポートが空気熱交換器２２に第２ガス管２９にて接続されている。さらに、水熱交換器２１と膨張弁２３とが第１液管３１にて接続され、膨張弁２３と空気熱交換器２２とが第２液管３２にて接続されている。また、空気熱交換器２２にはファン３３が付設されている。
【００３６】
また、往き管８には往き温水の温度を検知（検出）する往き水温検出手段３５が付設され、戻り管１１には戻り温水の温度を検知（検出）する戻り水温検出手段３６が付設されている。さらに、水熱交換器２１には温度（凝縮温度）を検知（検出）する水熱交換器温度検出手段３７が付設され、空気熱交換器２２には空気熱交換器温度（熱交換器出口温度）を検知（検出）する空気熱交換器温度検出手段３４が付設されている。そして、各検出手段３４、３５、３６、３７にて検出された各部位の温度は、図２に示すように、制御手段３８に入力される。また、各検出手段３４、３５、３６、３７はそれぞれ温度検出サーミスタ等にて構成することができ、制御手段３８はこの暖房装置の全体の制御を行うＣＰＵ等にて構成することができる。
【００３７】
さらに、上記水循環経路１に、この水循環経路１内の温水熱を蓄熱する蓄熱手段４１を設けている。すなわち、往き管８と戻り管１１を、蓄熱手段４１を構成する蓄熱材４２と開閉弁４３とが介設されたバイパス通路４４にて接続している。ここで、蓄熱材４２とは、例えばポリエチレングリコール又はパラフィン等からなり、容器４０内に収納されている。そして、この蓄熱材４２はバイパス通路４４を流れる循環水からの放散熱を吸収して蓄熱する。
【００３８】
次に、この床暖房運転を説明する。まず、四路切換弁２４を図１の実線で示す状態に切換え、圧縮機２０を駆動する。すると、冷媒が、四路切換弁２４、水熱交換器２１、膨張弁２３、空気熱交換器２２、四路切換弁２４へと流れ、水熱交換器２１が凝縮器として機能し、空気熱交換器２２が蒸発器として機能する。そこで、上記ポンプ７を駆動すると、膨張タンク６内の温水が往き配管８内へ流出し、往きヘッダ９等を介して、往き配管１７に流入して温水循環パイプ５を循環した後、戻り配管１８に返流されて、戻りヘッダ１０等を介して戻り管１１から、水熱交換器２１の熱交換路３０を流通する。このとき、上記のように、凝縮器として機能している水熱交換器２１によって、この熱交換路３０を流れる温水が加熱され、その後、膨張タンク６へと供給され、床暖房機器３がこの温水にて温められる。なお、この暖房装置によれば、図１に示す状態から四路切換弁２４を切換えて、圧縮機２０を駆動すると、冷媒が、四路切換弁２４、空気熱交換器２２、膨張弁２３、水熱交換器２１、四路切換弁２４へと流れて、空気熱交換器２２が凝縮器として機能し、水熱交換器２１が蒸発器として機能するようにすれば、温水が冷却され、これによって床冷房運転を行うことが可能となる。
【００３９】
ところで、この床暖房を立ち上げる時には、水循環経路１内の水や暖房を行う床の温度が低温になっている場合があり、このような状態で、床暖房を行えば、水熱交換器２１の凝縮量が大きくなって、この水熱交換器２１側の高圧を保持できず、正常な冷凍サイクルが形成されないことがある。このような場合には、充分な効率が得られず、また床暖立上が悪くなるおそれがある。そこで、床暖房立上時に、例えば、水熱交換器２１の凝縮温度を検知して、この検知温度が設定基準値以下であれば、ポンプ７の回転駆動を停止する。つまり、水循環経路１の水循環を停止する。この間に、水熱交換器２１の凝縮温度を上昇させる。逆に、検知温度が設定基準値を超えれば、ポンプ７の回転駆動させて、水循環経路１の水循環を行うようにする。これによって、水循環状態では、十分な高圧を得ることができ、正常な冷凍サイクルを形成することが可能となって、立上がりも良いものとなる。
【００４０】
また、この暖房装置においては、デフロスト運転を行う場合がある。デフロスト運転は、ヒートポンプユニット２において、水熱交換器２１にて熱回収を行う逆サイクル運転を行いつつ、ポンプ７を駆動して水循環経路１の循環水を循環させるものである。例えば、この空気熱交換器２２の出口温度を検知する温度検出手段３４にて検知した温度に基づいて、空気熱交換器２２に霜が付着しているか否かを判断し、空気熱交換器２２に霜が付着していると判断すれば、信号発生手段（図示省略）から、デフロスト開始信号が発信され、これによって、空気熱交換器２２の霜を取り除くためのデフロスト運転（除霜運転）を行うことになる。このように、このデフロスト運転は水熱交換器２１にて熱回収を行うものであるので、水循環経路１の循環水の温度が低下することになる。
【００４１】
そこで、この暖房装置では、デフロスト運転時等には、床暖房運転時に蓄熱手段４１にて蓄えた蓄熱熱量を水循環経路１の主流の循環水に付与するようにしている。すなわち、通常の運転時において開閉弁４３を開状態とする。これによって、膨張タンク６内の温水が往き管８内へ流出し、往きヘッダ９等を介して、往き配管１７に流入して温水循環パイプ５を循環した後、戻り配管１８に返流されて、戻りヘッダ１０等を介して戻り管１１から、水熱交換器２１の熱交換路３０を流通する上記主流が構成されると共に、戻りヘッダ１０からの循環水が戻り管１１を介してバイパス通路４４を流れて往き管８に流入する副流が構成される。
【００４２】
このため、循環水の一部が蓄熱手段４１である蓄熱材４２を通過することになる。この際、この蓄熱材４２が循環水からの放散熱を吸収して、この蓄熱材４２に循環水の熱を蓄熱することができる。そして、空気熱交換器２２に霜が付着していると判断すれば、信号発生手段（図示省略）から、デフロスト開始信号が発信され、これによって、空気熱交換器２２の霜を取り除くためのデフロスト運転（除霜運転）を行うことになる。このデフロスト運転は、上記したように、水熱交換器２１にて熱回収を行う逆サイクル運転を行いつつ、ポンプ７を駆動して水循環経路１の循環水を循環させるものである。そのため、冷たくなった循環水が床暖房機器３を循環することになるが、この際、蓄熱材４２には、通常運転時において水循環経路１内の温水熱を蓄熱しているので、この蓄熱材４２の蓄熱熱量を水循環経路１の上記主流の循環水に付与することになる。
【００４３】
このように、上記暖房装置では、熱媒循環経路１内を循環する熱媒の熱容量を増加させたので、床暖房運転を行わないとき（均圧中やデフロスト中等の熱源が能力を供給していないとき）等においても熱媒循環経路１の主流の熱媒の温度がこの蓄熱手段４１の蓄熱熱量によって低下するのを防止することができる。このため、循環水の水温の低下を防止して、この循環水の水温に基づく床面温度の低下を防止することができる。従って、上記のように、デフロスト運転時等においても、床面を、ユーザが不快とならない温度に維持することができる。特に、ヒートポンプの冷媒として、Ｒ３２、Ｒ４１０ＡのようなＨＦＣ冷媒や、二酸化炭素、炭化水素のような超臨界域で使用するものを用いることによって、上記作用効果を顕著に発揮することになる。
【００４４】
ところで、バイパス通路４４には開閉弁４３を設けたが、この開閉弁４３は、立上運転時に閉状態として、循環水をこのバイパス通路４４に流さないようにしている。このため、立上運転時には蓄熱材４２にて温水熱の蓄熱が行われない。そして、この立上運転が終了して通常状態の運転となれば、上記開閉弁４３を開状態として、循環水をこのバイパス通路４４に流して、蓄熱材４２に水循環経路１内の温水熱を蓄熱することになる。なお、立上運転から通常状態の運転へは、例えば、タイマ手段を設け、床暖房運転開始から所定時間が経過すれば、上記立上運転の制御を解除するように構成すればよい。
【００４５】
このように、立上げ運転終了後に蓄熱手段４１による蓄熱を行えば、立上げ時において温度上昇に時間がかかることを防止できるので、運転後の比較的短時間で床面を暖めることができる。これに対して、立上げ運転時から蓄熱手段４１による蓄熱を行えば、熱容量が大きく温度上昇に時間がかかることになる。
【００４６】
次に図３は他の実施の形態を示し、この場合、往き管８のポンプ７よりも往きヘッダ９側に開閉弁（電磁弁）４３と蓄熱材４２とを介設したパイパス通路４５を設けている。この際、蓄熱材４２はカプセル３９・・内に収納されて、このカプセル３９・・が容器４０に収納されている。このため、このパイパス通路４５を流れない主流と、パイパス通路４５を流れる副流とを構成することができ、開閉弁４３を開状態としておけば、循環水は主流と副流とを流れる。そして、循環水が副流を流れれば、蓄熱材４２に温水熱を蓄熱することができる。従って、この図３における構成であっても、床暖房運転を行わないデフロスト運転時等のときに、この蓄熱材４２の蓄熱熱量を水循環経路１の主流の循環水に付与することができ、循環水の温度の低下を防止できる。なお、この蓄熱手段４１では、蓄熱材４２がカプセル３９に収納されているので、その取扱いが容易である利点がある。
【００４７】
また図４は別の実施の形態を示し、この場合、上記図２３と相違して容器４０内に蓄熱材４２を収納させていない。すなわち、この容器４０内に流入する温水を蓄熱材としている。このように温水を使用しても蓄熱材としての温水の蓄熱熱量を水循環経路１の主流の循環水に付与することができ、循環水の温度の低下を防止できる。
【００４８】
次に図５はさらに別の実施の形態を示し、図３における容器４０に電気ヒータを収納している。これによって、蓄熱材４２の蓄熱熱量を水循環経路１の主流の循環水により安定して付与することができ、循環水の温度の低下を防止できる。
【００４９】
また、図６においては、膨張タンク６の内部に蓄熱材４２が収納される蓄熱材収納部Ｓを構成、この蓄熱材収納部の蓄熱材４２にて熱媒熱を蓄熱するようにしている。すなわち、膨張タンク６に仕切壁（隔壁）４９を設けて膨張タンク６を第１室６ａと第２室６ｂに分けて、その往きヘッダ９側の第２室６ｂに蓄熱材４２が入ったカプセル３９を収納し、この第２室６ｂを蓄熱材収納部Ｓとしている。また、往き管８にバイパス回路５０を設け、このバイパス回路５０に開閉弁４３を設けている。このため、開閉弁４３を閉状態とすれば、往き管８の主流を流れて往きヘッダ９側へ温水が流れる。また、開閉弁４３を開状態とすれば、バイパス回路５０を介して膨張タンク６の蓄熱材収納部Ｓに入り、蓄熱することができる。なお、バイパス回路５０から往きヘッダ９への配管４８にも循環用ポンプ７が介設されている。
【００５０】
このため、この図６に示すものであっても、蓄熱材４２の蓄熱熱量を水循環経路１の主流の循環水により安定して付与することができ、循環水の温度の低下を防止できる。しかも、熱媒循環経路１に別途蓄熱材を配置するための部位を設ける必要がなくなり、装置を簡単でコンパク化を図ることができる。
【００５１】
ところで、図３等に示すような蓄熱手段４１であれば、床暖房温度の設定温度を急変時等のように熱媒の温度を大きく変化させる必要が生じたときに、開閉手段４３を閉状態として、蓄熱材４２側へ熱媒を流さないようにすることによって、熱媒の熱容量を低下させることができる。また、熱媒の温度が安定したときには、再度蓄熱材４２側へ熱媒を流すようにすることができる。このように、熱媒の温度を大きく変化させる必要が生じたときに、開閉手段４３を閉状態として、蓄熱材４２側へ熱媒を流さないようにすることによって、熱媒の熱容量を低下させることができ、熱媒の温度を設定温度に短時間に調整できる。また、熱媒の温度が安定したときには、再度蓄熱材４２側へ熱媒を流すようにすることができ、床面を、ユーザが不快とならない温度に維持することができる。
【００５２】
ところで、蓄熱時に、蓄熱手段４１を構成する蓄熱材４２側への流路に熱媒を間欠的に流すこと等によって蓄熱を徐々に行うことができる。このように、蓄熱材４２に徐々に熱媒を流せば、熱媒の温度低下を防止できる。これに対して、蓄熱材４２に急激に熱媒を流せば、熱媒の温度低下を招くことになる。なお、この際、間欠的に流すのでなく、流量を変化させることによって、熱媒の温度低下を防止できる。
【００５３】
以上にこの発明の具体的な実施の形態について説明したが、この発明は上記形態に限定されるものではなく、この発明の範囲内で種々変更して実施することができる。例えば、図１と図２に示すバイパス回路において、それぞれ、開閉弁を設けたが、このような開閉弁を設けないものであってもよい。また、蓄熱材としては、上記したポリエチレングリコール又はパラフィンに限るものではないが、融点が３５〜５０℃となるのが好ましい。さらに、上記実施の形態では、往きヘッダ９と戻りヘッダ１０等を設けて、複数の床暖房機器３の接続を可能としているが、この際の分岐管１４、１６の数の増減は任意である。また、このような分岐管１４、１６を設けずに、接続される床暖房機器３が単数個であってもよい。さらに、熱媒としても温水ではない他の循環液を使用してもよい。さらに、実施の形態のような床暖房システムにおいて、室内の冷暖房を行う空調システムを備えたものであってもよい。また、暖房放熱器３として床暖房機器に限るものではなく、床暖房機器以外の温水等の熱媒を使用するファンコイルでは、吹き出し温度の低下を防止できるので種々の暖房機器を使用することができる。
【図面の簡単な説明】
【００５４】
【図１】この発明の暖房装置の実施形態を示す簡略全体図である。
【図２】上記暖房装置の制御部の簡略ブロック図である。
【図３】この発明の暖房装置の他の実施形態を示す要部簡略図である。
【図４】この発明の暖房装置の別の実施形態を示す要部簡略図である。
【図５】この発明の暖房装置のさらに他の実施形態を示す要部簡略図である。
【図６】この発明の暖房装置のさらに別の実施形態を示す要部簡略図である。
【図７】従来の暖房装置の簡略全体図である。
【図８】床パネルを示し、（ａ）は一般的なパネルの断面図であり、（ｂ）は床材一体型のパネルの断面図であり、（ｃ）は分離型のパネルの断面図である。
【符号の説明】
【００５５】
１・・熱媒循環経路、３・・暖房放熱器、６・・膨張タンク、７・・ポンプ、２１・・水熱交換器、４１・・蓄熱手段、４２・・蓄熱材、４３・・開閉弁、Ｓ・・蓄熱材収納部
【図１】
2006046701.tif 000003
【図２】
2006046701.tif 000004
【図３】
2006046701.tif 000005
【図４】
2006046701.tif 000006
【図５】
2006046701.tif 000007
【図６】
2006046701.tif 000008
【図７】
2006046701.tif 000009
【図８】
2006046701.tif 000010